(57)【要約】【課題】従来の車両用灯具では、ロービーム配光パターンのカットオフラインのうちエルボー点を含む部分が不鮮明となる。【解決手段】この発明は、レンズ２と、半導体型光源３と、を備える。レンズ２は、入射面２０Ｕ、２０Ｄと、出射面２１と、から構成されている。入射面２０Ｕ、２０Ｄは、上下に２分割されている。上側の入射面２０Ｕは、基準入射面２０に対して対向車線側に振り向けられている。下側の入射面２０Ｄは、基準入射面２０に対して走行車線側に振り向けられている。この結果、この発明は、ロービーム配光パターンＬＰのカットオフラインＣＬ１、ＣＬ２、ＣＬ３のうちエルボー点Ｅを含む部分が鮮明となる。【選択図】        図１
2015095296.tif 000002
【特許請求の範囲】
【請求項１】
レンズと、半導体型光源と、を備え、
前記レンズは、前記半導体型光源からの光を前記レンズ中に入射させる入射面と、前記入射面から入射した入射光を、エルボー点を含むカットオフラインが形成されている配光パターンとして、前記レンズから外部に出射させる出射面と、から構成されていて、
前記入射面または前記出射面は、前記レンズの基準光軸を通る水平線もしくはほぼ水平線において上下に２分割されていて、
上側の前記入射面または前記出射面を含む前記レンズは、前記エルボー点を含む前記カットオフラインが形成されている上側の前記配光パターンを照射し、
下側の前記入射面または前記出射面を含む前記レンズは、前記エルボー点を含む前記カットオフラインが形成されている下側の前記配光パターンを照射し、
上側の前記入射面または前記出射面のうち少なくとも一部は、下側の前記入射面または前記出射面のうち少なくとも一部に対して対向車線側に振り向けられている、
ことを特徴とする車両用灯具。
【請求項２】
前記入射面は、前記レンズの基準光軸を通る水平線もしくはほぼ水平線において上下に２分割されていて、
上側の前記入射面のうち少なくとも一部は、下側の前記入射面のうち少なくとも一部に対して対向車線側に振り向けられている、
ことを特徴とする請求項１に記載の車両用灯具。
【請求項３】
下側の前記入射面は、上側の前記入射面よりも前記半導体型光源側に位置する、
ことを特徴とする請求項１または２に記載の車両用灯具。
【請求項４】
前記カットオフラインは、中央の斜めカットオフラインと、走行車線側の上水平カットオフラインと、対向車線側の下水平カットオフラインと、前記斜めカットオフラインと前記下水平カットオフラインとの交点の前記エルボー点と、を有し、
前記入射面または前記出射面のうち上下に２分割されている部分は、少なくとも、前記基準光軸を含む中央部分であって、前記配光パターンのうち集光配光パターンを形成する部分である、
ことを特徴とする請求項１〜３のいずれか１項に記載の車両用灯具。
【発明の詳細な説明】
【技術分野】
【０００１】
この発明は、半導体型光源からの光（直射光）を、レンズに（直接）入射させてかつそのレンズからカットオフラインおよびエルボー点を有する配光パターンとして照射するレンズ直射型の車両用灯具に関するものである。
【背景技術】
【０００２】
この種の車両用灯具は、従来からある（たとえば、特許文献１）。以下、従来の車両用灯具について説明する。
【０００３】
従来の車両用灯具は、発光素子と、投影レンズと、を備え、投影レンズの出射面が第一屈折面と第二屈折面と第三屈折面と第四屈折面とから構成されているものである。従来の車両用灯具は、発光素子からの光が投影レンズの第一屈折面、第二屈折面、第三屈折面、第四屈折面からそれぞれ所定の配光パターンとして出射して、カットオフラインおよびエルボー点を有するロービーム配光パターンが形成される。従来の車両用灯具は、ロービーム配光パターンの明暗差を解消し、かつ、ロービーム配光パターンの手前側の視認性を向上させるものである。
【先行技術文献】
【特許文献】
【０００４】
【特許文献１】特開２０１１−９０９１３号公報
【発明の概要】
【発明が解決しようとする課題】
【０００５】
ここで、レンズ直射型の車両用灯具においては、投影レンズから出射される配光（発光素子の発光面の投影像）が偏る特性がある。すなわち、投影レンズの上側から出射される配光は、走行車線側に偏る特性がある。一方、投影レンズの下側から出射される配光は、対向車線側に偏る特性がある。これにより、ロービーム配光パターンのカットオフラインのうちエルボー点を含む部分において光抜けが発生する。この場合においては、ロービーム配光パターンのカットオフラインのうちエルボー点を含む部分が不鮮明となる。
【０００６】
ところが、従来の車両用灯具は、ロービーム配光パターンのカットオフラインのうちエルボー点を含む部分の光抜けを防止する手段が設けられていない。このために、ロービーム配光パターンのカットオフラインのうちエルボー点を含む部分が不鮮明となる場合がある。
【０００７】
この発明が解決しようとする課題は、従来の車両用灯具では、ロービーム配光パターンのカットオフラインのうちエルボー点を含む部分が不鮮明となる場合がある、という点にある。
【課題を解決するための手段】
【０００８】
この発明（請求項１にかかる発明）は、レンズと、半導体型光源と、を備え、レンズが、半導体型光源からの光をレンズ中に入射させる入射面と、入射面から入射した入射光を、エルボー点を含むカットオフラインが形成されている配光パターンとして、レンズから外部に出射させる出射面と、から構成されていて、入射面または出射面が、レンズの基準光軸を通る水平線もしくはほぼ水平線において上下に２分割されていて、上側の入射面または出射面を含むレンズが、エルボー点を含むカットオフラインが形成されている上側の配光パターンを照射し、下側の入射面または出射面を含むレンズが、エルボー点を含むカットオフラインが形成されている下側の配光パターンを照射し、上側の入射面または出射面のうち少なくとも一部が、下側の入射面または出射面のうち少なくとも一部に対して対向車線側に振り向けられている、ことを特徴とする。
【０００９】
この発明（請求項２にかかる発明）は、入射面が、レンズの基準光軸を通る水平線もしくはほぼ水平線において上下に２分割されていて、上側の入射面のうち少なくとも一部が、下側の入射面のうち少なくとも一部に対して対向車線側に振り向けられている、ことを特徴とする。
【００１０】
この発明（請求項３にかかる発明）は、下側の入射面が、上側の入射面よりも半導体型光源側に位置する、ことを特徴とする。
【００１１】
この発明（請求項４にかかる発明）は、カットオフラインが、中央の斜めカットオフラインと、走行車線側の上水平カットオフラインと、対向車線側の下水平カットオフラインと、斜めカットオフラインと下水平カットオフラインとの交点のエルボー点と、を有し、入射面または出射面のうち上下に２分割されている部分が、少なくとも、基準光軸を含む中央部分であって、配光パターンのうち集光配光パターンを形成する部分である、ことを特徴とする。
【発明の効果】
【００１２】
この発明の車両用灯具は、上側の入射面または出射面を基準の入射面または出射面に対して対向車線側に振り向け、一方、下側の入射面または出射面を基準の入射面または出射面に対して走行車線側に振り向けるものである。このために、レンズから出射される配光（半導体型光源の発光面の投影像）の偏りを矯正することができる。すなわち、レンズの上側から出射されて走行車線側に偏る特性がある配光を対向車線側に矯正することができる。一方、レンズの下側から出射されて対向車線側に偏る特性がある配光を走行車線側に矯正することができる。これにより、ロービーム配光パターンのカットオフラインのうちエルボー点を含む部分の光抜けを防止することができる。この結果、ロービーム配光パターンのカットオフラインのうちエルボー点を含む部分を鮮明とすることができる。
【図面の簡単な説明】
【００１３】
【図１】図１は、この発明にかかる車両用灯具の実施形態を示すランプユニット（レンズ、半導体型光源）の背面側斜め上から見た概略斜視図である。
【図２】図２は、ランプユニットの背面図（図１におけるＩＩ矢視図）である。
【図３】図３は、レンズの一部拡大断面図（図２におけるＩＩＩＡ−ＩＩＩＡ線拡大断面図、図２におけるＩＩＩＢ−ＩＩＩＢ線拡大断面図）である。
【図４】図４は、レンズの一部拡大断面図（図２におけるＩＶ−ＩＶ線拡大断面図）である。
【図５】図５は、上側の入射面の段差面と下側の入射面の段差面とが交差するレンズの中央部分の一部を示す拡大斜視図である。
【図６】図６は、下側の入射面の段差面のみを形成したレンズの中央部分の一部を示す拡大斜視図である。
【図７】図７は、上側の入射面の段差面に入射する光の進路を示す説明図である。
【図８】図８は、下側の入射面の段差面に入射する光の進路を示す説明図である。
【図９】図９は、ロービーム配光パターンを示す説明図である。
【図１０】図１０は、レンズの中央部分から出射される矯正された配光（半導体型光源の発光面の投影像）を示す説明図である。
【図１１】図１１は、レンズの中央部分から出射される偏った配光（半導体型光源の発光面の投影像）を示す説明図である。
【発明を実施するための形態】
【００１４】
以下、この発明にかかる車両用灯具の実施形態（実施例）を図面に基づいて詳細に説明する。なお、この実施形態によりこの発明が限定されるものではない。図９〜図１１において、符号「ＶＵ−ＶＤ」は、スクリーンの上下の垂直線を示す。符号「ＨＬ−ＨＲ」は、スクリーンの左右の水平線を示す。図１０、図１１におけるカットオフラインは、太い実線にて示す。この明細書において、前、後、上、下、左、右は、この発明にかかる車両用灯具を車両に搭載した際の前、後、上、下、左、右である。
【００１５】
（実施形態の構成の説明）
以下、この実施形態にかかる車両用灯具の構成について説明する。図中、符号１は、この実施形態にかかる車両用灯具（たとえば、車両用前照灯、ロービーム用ヘッドランプなど）である。前記車両用灯具１は、車両の前部の左右両端部に搭載されている。前記車両用灯具１は、左側通行用の車両用灯具である。従って、走行車線側が左側であり、対向車線側が右側である。
【００１６】
（ランプユニットの説明）
前記車両用灯具１は、ランプハウジング（図示せず）と、ランプレンズ（図示せず）と、レンズ（投影レンズ、直射レンズ）２と、半導体型光源３と、ヒートシンク部材（図示せず）と、図示しない取付部材（ホルダおよびレンズホルダなど）と、を備えるものである。
【００１７】
前記レンズ２および前記半導体型光源３および前記ヒートシンク部材および前記取付部材は、ランプユニットを構成する。前記ランプハウジングおよび前記ランプレンズは、灯室（図示せず）を画成する。前記ランプユニットは、前記灯室内に配置されていて、かつ、上下方向用光軸調整機構（図示せず）および左右方向用光軸調整機構（図示せず）を介して前記ランプハウジングに取り付けられている。なお、前記灯室内には、前記ランプユニット以外のランプユニット、たとえば、フォグランプ、ハイビーム用ヘッドランプ、ローハイ用ヘッドランプ、ターンシグナルランプ、クリアランスランプ、デイタイムランニングランプ、コーナーリングランプなどが配置されている場合がある。
【００１８】
（半導体型光源３の説明）
前記半導体型光源３は、図１、図２、図７、図８に示すように、この例では、たとえば、ＬＥＤ、ＯＥＬまたはＯＬＥＤ（有機ＥＬ）などの自発光半導体型光源である。前記半導体型光源３は、発光チップ（ＬＥＤチップ）３０を封止樹脂部材で封止したパッケージ（ＬＥＤパッケージ）３１あるいは前記発光チップ３０がシリコンで充填されたものから構成されている。前記パッケージ３１は、基板３２に実装されている。前記基板３２に取り付けられているコネクタ（図示せず）を介して前記発光チップ３０には、電源（バッテリー）からの電流が供給される。前記半導体型光源３は、前記ヒートシンク部材に取り付けられている。
【００１９】
前記発光チップ３０は、平面矩形形状（平面長方形状）をなす。すなわち、４個の正方形あるいは長方形のチップをＸ軸方向（水平方向）に配列してなるものである。なお、２個もしくは３個もしくは５個以上の正方形あるいは長方形のチップ、あるいは、１個の長方形のチップ、あるいは、１個の正方形のチップ、を使用しても良い。前記発光チップ３０の正面この例では長方形の正面が発光面をなす。前記発光面（前記発光チップ３０の正面）は、前記レンズ２の基準光軸（前記車両用灯具１の基準光軸、基準軸）Ｚの前側に向いている。前記発光面の中心Ｏは、前記レンズ２の基準焦点Ｆもしくはその近傍に位置し、かつ、前記基準光軸Ｚ上もしくはその近傍に位置する。
【００２０】
図１、図２において、Ｘ、Ｙ、Ｚは、直交座標（Ｘ−Ｙ−Ｚ直交座標系）を構成する。Ｘ軸は、前記発光面の中心Ｏを通る左右方向の水平軸であって、この実施形態において、右側が＋方向であり、左側が−方向である。また、Ｙ軸は、前記発光面の中心Ｏを通る上下方向の鉛直軸であって、この実施形態において、上側が＋方向であり、下側が−方向である。さらに、Ｚ軸は、前記発光面の中心Ｏを通る法線（垂線）、すなわち、前記Ｘ軸および前記Ｙ軸と直交する前後方向の軸（前記基準光軸Ｚ）であって、この実施形態において、前側が＋方向であり、後側が−方向である。
【００２１】
（レンズ２の説明）
前記レンズ２は、図１〜図８に示すように、入射面２０Ｕ、２０Ｄと、出射面２１と、から構成されている。前記レンズ２は、前記取付部材を介して前記ヒートシンク部材に、前記半導体型光源３と対向するように、取り付けられている。すなわち、前記レンズ２の前記入射面２０Ｕ、２０Ｄと前記半導体型光源３の前記発光面とは、対向している。なお、前記レンズ２の中心と前記発光面の中心Ｏとは、一致していても良いし、あるいは、前記レンズ２の中心が前記発光面の中心Ｏに対して下または上に位置していても良い。
【００２２】
前記レンズ２は、前記半導体型光源３からの光Ｌ１を、エルボー点Ｅを有するカットオフラインＣＬ１、ＣＬ２、ＣＬ３が形成されている配光パターンすなわち図９（Ｃ）に示すロービーム配光パターンＬＰとして、車両の前方に照射するものである。前記ロービーム配光パターンＬＰは、中央部分の光度（照度、光量）が高い集光配光パターンＳＰと、全体部分の光度（照度、光量）が低い拡散配光パターンＷＰと、から概ね構成されている。
【００２３】
前記カットオフラインは、中央の斜めカットオフラインＣＬ１と、走行車線側（左側）の上水平カットオフラインＣＬ２と、対向車線側（右側）の下水平カットオフラインＣＬ３と、からなる。前記エルボー点Ｅは、前記斜めカットオフラインＣＬ１と前記下水平カットオフラインＣＬ３との交点である。
【００２４】
前記レンズ２の前記基準光軸Ｚを含む中央部分２２は、前記集光配光パターンＳＰを形成する。前記中央部分２２は、前記発光面の中心Ｏを頂点とし、前記基準光軸Ｚに対し約２０°の範囲に設定されている。前記中央部分２２は、前記集光配光パターンＳＰの前記斜めカットオフラインＣＬ１および前記エルボー点Ｅと、前記斜めカットオフラインＣＬ１および前記エルボー点Ｅと近傍の前記上水平カットオフラインＣＬ２および前記下水平カットオフラインＣＬ３を形成する。前記中央部分２２は、照射する光の色収差が小さく、かつ、光度（照度、光量）が十分であるから、前記集光配光パターンＳＰを形成するのに適している。前記レンズ２の前記中央部分２２以外の部分は、左右両側の前記上水平カットオフラインＣＬ２および前記下水平カットオフラインＣＬ３を有する前記拡散配光パターンＷＰを形成する。
【００２５】
前記中央部分２２は、上側の入射面２０Ｕに属する上側の中央部分２２Ｕと、分割境界線を跨って上側の入射面２０Ｕと下側の入射面２０Ｄとに属する中間の中央部分２２Ｃと、下側の入射面２０Ｄに属する下側の中央部分２２Ｄと、から構成されている。
【００２６】
なお、中間の前記中央部分２２Ｃのみでは、前記集光配光パターンＳＰを形成するのに十分な光度（照度、光量）が得られない。このために、中間の前記中央部分２２Ｃに上側の前記中央部分２２Ｕおよび下側の前記中央部分２２Ｄを付加して、前記集光配光パターンＳＰを形成するのに十分な光度（照度、光量）が得られるように構成されている。
【００２７】
（入射面２０Ｕ、２０Ｄの説明）
前記入射面２０Ｕ、２０Ｄは、この例では、自由曲面により形成されている。前記入射面２０Ｕ、２０Ｄは、前記半導体型光源３からの前記光（直射光）Ｌ１を前記レンズ２中に入射させる。前記入射面２０Ｕ、２０Ｄは、前記レンズ２の前記基準光軸Ｚを通る水平線もしくはほぼ水平線（すなわち、前記Ｘ軸もしくはほぼＸ軸）において上下に２分割されている。
【００２８】
上側の前記入射面２０Ｕは、図３（Ａ）に示すように、基準入射面２０（図３中の二点鎖線参照）に対して対向車線側に振り向けられている。一方、下側の前記入射面２０Ｄは、図３（Ｂ）に示すように、前記基準入射面２０に対して走行車線側に振り向けられている。なお、前記基準入射面２０は、１つの連続した面からなる既存の入射面である。
【００２９】
下側の前記入射面２０Ｄは、図４（Ｂ）、図６、図８に示すように、上側の前記入射面２０Ｕよりも前記半導体型光源３側に位置する。この結果、上側の前記入射面２０Ｕと下側の前記入射面２０Ｄとの間の分割境界においては、上側に向いている段差面２３Ｕが形成されている。
【００３０】
なお、上側の前記入射面２０Ｕを前記基準入射面２０に対して対向車線側に振り向け、一方、下側の前記入射面２０Ｄを前記基準入射面２０に対して走行車線側に振り向けた場合。この場合においては、図４（Ａ）、図５、図７、図８に示すように、上側の前記入射面２０Ｕと下側の前記入射面２０Ｄとは、上（平面）から見て、前記基準光軸ＺにおいてＸ字状に交差している。すなわち、前記基準光軸Ｚから走行車線側においては、下側の前記入射面２０Ｄが上側の前記入射面２０Ｕよりも前記半導体型光源３側に位置する。一方、前記基準光軸Ｚから対向車線側においては、上側の前記入射面２０Ｕが下側の前記入射面２０Ｄよりも前記半導体型光源３側に位置する。
【００３１】
この結果、前記基準光軸Ｚから走行車線側の上側の前記入射面２０Ｕと下側の前記入射面２０Ｄとの間の分割境界においては、上側に向いている前記段差面２３Ｕが形成されている。一方、前記基準光軸Ｚから対向車線側の上側の前記入射面２０Ｕと下側の前記入射面２０Ｄとの間の分割境界においては、下側に向いている段差面２３Ｄが形成されている。
【００３２】
ここで、図７、図８に示すように、前記段差面２３Ｕ、２３Ｄには、金型の加工曲面（加工Ｒ）および抜き度（傾斜）がある。このために、図７に示すように、前記半導体型光源３からの前記光Ｌ１が下側に向いている前記段差面２３Ｄ、および、前記段差面２３Ｄと前記入射面２０Ｕとの角の曲面に入射すると、その入射光Ｌ３が上向きとなり、制御できない迷光となる虞がある。一方、図８に示すように、前記半導体型光源３からの光Ｌ１が上側に向いている前記段差面２３Ｕ、および、前記段差面２３Ｕと前記入射面２０Ｄとの角の曲面に入射すると、その入射光Ｌ２が下向きとなり、制御できない迷光となる虞がない。
【００３３】
このために、上側の前記入射面２０Ｕと下側の前記入射面２０Ｄとの間の分割境界における段差面は、上側に向いている前記段差面２３Ｕとすることが好ましい。これにより、図４（Ａ）、図５に示すＸ字状に交差している上側の前記入射面２０Ｕおよび下側の前記入射面２０Ｄにおいて、下側の前記入射面２０Ｄを上側の前記入射面２０Ｕに対して、図４（Ｂ）、図６中の実線矢印に示すように、前記半導体型光源３側に移動させる。この結果、図４（Ｂ）、図６、図８に示すように、下側の前記入射面２０Ｄが上側の前記入射面２０Ｕよりも前記半導体型光源３側に位置して、上側の前記入射面２０Ｕと下側の前記入射面２０Ｄとの間の分割境界において上側に向いている前記段差面２３Ｕが形成される。
【００３４】
（出射面２１の説明）
前記出射面２１は、前記半導体型光源３と対向する面と反対側の面であって、この例では、自由曲面から形成されている。前記出射面２１は、上側の前記入射面２０Ｕおよび下側の前記入射面２０Ｄから入射した入射光を前記ロービーム配光パターンＬＰとして前記レンズ２から外部に出射させる。前記出射面２１は、１つの連続した面からなる既存の出射面である。
【００３５】
上側の前記入射面２０Ｕと対応する上側の前記出射面２１（すなわち、上側の前記入射面２０Ｕを含む上側の前記レンズ２）は、上側の前記入射面２０Ｕから入射した前記入射光を図９（Ａ）に示す上側のロービーム配光パターンＵＬＰとして車両の前方に照射させる。すなわち、上側の前記入射面２０Ｕの前記中央部分２２と対応する前記出射面２１は、上側の前記入射面２０Ｕの前記中央部分２２から入射した前記入射光を図９（Ａ）に示す上側の前記ロービーム配光パターンＵＬＰの前記集光配光パターンＵＳＰとして車両の前方に照射させる。また、上側の前記入射面２０Ｕの前記中央部分２２以外の部分と対応する前記出射面２１は、上側の前記入射面２０Ｕの前記中央部分２２以外の部分から入射した前記入射光を図９（Ａ）に示す上側の前記ロービーム配光パターンＵＬＰの前記拡散配光パターンＵＷＰとして車両の前方に照射させる。上側の前記ロービーム配光パターンＵＬＰは、前記カットオフラインＣＬ１、ＣＬ２、ＣＬ３および前記エルボー点Ｅを有する。
【００３６】
一方、下側の前記入射面２０Ｄと対応する下側の前記出射面２１（すなわち、下側の前記入射面２０Ｄを含む下側の前記レンズ２）は、下側の前記入射面２０Ｄから入射した前記入射光を図９（Ｂ）に示す下側のロービーム配光パターンＤＬＰとして車両の前方に照射させる。すなわち、下側の前記入射面２０Ｄの前記中央部分２２と対応する前記出射面２１は、下側の前記入射面２０Ｄの前記中央部分２２から入射した前記入射光を図９（Ｂ）に示す下側の前記ロービーム配光パターンＤＬＰの前記集光配光パターンＤＳＰとして車両の前方に照射させる。また、下側の前記入射面２０Ｄの前記中央部分２２以外の部分と対応する前記出射面２１は、下側の前記入射面２０Ｄの前記中央部分２２以外の部分から入射した前記入射光を図９（Ｂ）に示す下側の前記ロービーム配光パターンＤＬＰの前記拡散配光パターンＤＷＰとして車両の前方に照射させる。下側の前記ロービーム配光パターンＤＬＰは、前記カットオフラインＣＬ１、ＣＬ２、ＣＬ３および前記エルボー点Ｅを有する。
【００３７】
（実施形態の作用の説明）
この実施形態にかかる車両用灯具１は、以上のごとき構成からなり、以下、その作用について説明する。
【００３８】
半導体型光源３を点灯する。すると、半導体型光源３の発光チップ３０の発光面からの光Ｌ１は、レンズ２の入射面２０Ｕ、２０Ｄからレンズ２中に屈折して入射する。このとき、入射光は、入射面２０Ｕ、２０Ｄにおいて配光制御される。その入射光は、レンズ２の出射面２１から外部にそれぞれ屈折して出射する。このとき、出射光は、出射面２１において配光制御される。その出射光は、ロービーム配光パターンＬＰとして車両の前方に照射される。
【００３９】
すなわち、上側の入射面２０Ｕと対応する上側の出射面２１（上側の入射面２０Ｕを含む上側のレンズ２）からは、図９（Ａ）に示す上側のロービーム配光パターンＵＬＰとして車両の前方に照射される。ここで、上側の入射面２０Ｕの中央部分２２と対応する出射面２１からは、上側のロービーム配光パターンＵＬＰの集光配光パターンＵＳＰとして車両の前方に照射される。また、上側の入射面２０Ｕの中央部分２２以外の部分と対応する出射面２１からは、上側のロービーム配光パターンＵＬＰの拡散配光パターンＵＷＰとして車両の前方に照射される。この上側のロービーム配光パターンＵＬＰは、カットオフラインＣＬ１、ＣＬ２、ＣＬ３およびエルボー点Ｅを有する。
【００４０】
一方、下側の入射面２０Ｄと対応する下側の出射面２１（上側の入射面２０Ｄを含む下側の前記レンズ２）からは、図９（Ｂ）に示す下側のロービーム配光パターンＤＬＰとして車両の前方に照射される。ここで、下側の入射面２０Ｄの中央部分２２と対応する出射面２１からは、下側のロービーム配光パターンＤＬＰの集光配光パターンＤＳＰとして車両の前方に照射される。また、下側の入射面２０Ｄの中央部分２２以外の部分と対応する出射面２１からは、下側のロービーム配光パターンＤＬＰの拡散配光パターンＤＷＰとして車両の前方に照射される。この下側のロービーム配光パターンＤＬＰは、カットオフラインＣＬ１、ＣＬ２、ＣＬ３およびエルボー点Ｅを有する。
【００４１】
そして、上側の入射面２０Ｕと対応する上側の出射面２１から照射される上側のロービーム配光パターンＵＬＰと、下側の入射面２０Ｄと対応する下側の出射面２１から照射される下側のロービーム配光パターンＤＬＰとが、合成（重畳）されて、図９（Ｃ）に示すロービーム配光パターンＬＰが形成される。このロービーム配光パターンＬＰは、半導体型光源３の発光チップ３０の発光面の投影像から構成されている。
【００４２】
ここで、入射面２０Ｕ、２０Ｄの中央部分２２と対応する出射面２１から照射される半導体型光源３の発光チップ３０の発光面の投影像ＵＩ、ＣＩ、ＤＩについて説明する。すなわち、上側の中央部分２２Ｕから照射される投影像ＵＩ、および、中間の中央部分２２Ｃから照射される投影像ＣＩ、および、下側の中央部分２２Ｄから照射される投影像ＤＩについて説明する。
【００４３】
まず、上側の中央部分２２Ｕから照射される投影像ＵＩは、図１０（Ａ）に示すように、中央部分が上側に湾曲し、かつ、両端部分が下側に垂れ下がった横長のほぼ長方形状をなす。この投影像ＵＩは、カットオフラインＣＬ１、ＣＬ２、ＣＬ３およびエルボー点Ｅに沿って照射されている。このために、斜めカットオフラインＣＬ１およびエルボー点Ｅの部分（小円形を参照）においては、投影像ＵＩすなわち光が抜けていない。
【００４４】
また、中間の中央部分２２Ｃから照射される投影像ＣＩは、図１０（Ｂ）に示すように、横長の長方形状をなす。この投影像ＣＩは、カットオフラインＣＬ１、ＣＬ２、ＣＬ３およびエルボー点Ｅに沿って照射されている。
【００４５】
さらに、下側の中央部分２２Ｄから照射される投影像ＤＩは、図１０（Ｃ）に示すように、中央部分が下側に湾曲し、かつ、両端部分が上側にせり上がった横長のほぼ長方形状をなす。この投影像ＤＩは、カットオフラインＣＬ１、ＣＬ２、ＣＬ３およびエルボー点Ｅに沿って照射されている。このために、斜めカットオフラインＣＬ１およびエルボー点Ｅの部分（小円形を参照）においては、投影像ＤＩすなわち光が抜けていない。
【００４６】
（実施形態の効果の説明）
この実施形態にかかる車両用灯具１は、以上のごとき構成および作用からなり、以下、その効果について説明する。
【００４７】
この実施形態にかかる車両用灯具１は、上側の入射面２０Ｕを基準入射面２０に対して対向車線側に振り向け、一方、下側の入射面２０Ｄを基準入射面２０に対して走行車線側に振り向けるものである。このために、レンズ２の出射面２１から出射される配光（半導体型光源３の発光チップ３０の発光面の投影像ＵＩ、ＣＩ、ＤＩ）の偏りを矯正することができる。すなわち、レンズ２の上側から出射されて走行車線側に偏る特性がある配光を対向車線側に矯正することができる。一方、レンズ２の下側から出射されて対向車線側に偏る特性がある配光を走行車線側に矯正することができる。これにより、ロービーム配光パターンＬＰのカットオフラインＣＬ１、ＣＬ２、ＣＬ３のうちエルボー点Ｅを含む部分の光抜けを防止することができる。この結果、ロービーム配光パターンＬＰのカットオフラインＣＬ１、ＣＬ２、ＣＬ３のうちエルボー点Ｅを含む部分を鮮明とすることができる。
【００４８】
ここで、入射面が１つの連続した面からなる既存のレンズ直射型の車両用灯具について説明する。なお、既存のレンズ直射型の車両用灯具の構成部品において、この実施形態にかかる車両用灯具１の構成部品と同じ構成部品には、同じ符号を付す。
【００４９】
この既存のレンズ直射型の車両用灯具においては、レンズ２から出射される配光（半導体型光源３の発光チップ３０の発光面の投影像ＵＩ、ＤＩ）が偏る特性がある。すなわち、レンズ２の上側から出射される配光（投影像ＵＩ）は、図１１（Ａ）中の左斜め上方向の実線矢印に示すように、走行車線側に偏る特性がある。このために、図１１（Ａ）に示すように、上側の中央部分２２Ｕから照射される投影像ＵＩは、斜めカットオフラインＣＬ１およびエルボー点Ｅの部分（小円形を参照）において、抜けている。一方、レンズ２の下側から出射される配光（投影像ＤＩ）は、図１１（Ｂ）中の右斜め下方向の実線矢印に示すように、対向車線側に偏る特性がある。このために、図１１（Ｂ）に示すように、下側の中央部分２２Ｄから照射される投影像ＤＩは、斜めカットオフラインＣＬ１およびエルボー点Ｅの部分（小円形を参照）において、抜けている。この場合においては、ロービーム配光パターンＬＰのカットオフラインＣＬ１、ＣＬ２、ＣＬ３のうちエルボー点Ｅを含む部分が不鮮明となる。
【００５０】
これに対して、この実施形態にかかる車両用灯具１は、上側の入射面２０Ｕが基準入射面２０に対して対向車線側に振り向けられている。これにより、レンズ２の上側から出射されて走行車線側に偏る特性がある配光（投影像ＵＩ）は、図１０（Ａ）中の右斜め下方向の実線矢印に示すように、対向車線側に矯正される。このために、図１０（Ａ）に示すように、上側の中央部分２２Ｕから照射される投影像ＵＩは、斜めカットオフラインＣＬ１およびエルボー点Ｅの部分（小円形を参照）において、抜けていない。一方、下側の入射面２０Ｄが基準入射面２０に対して走行車線側に振り向けられている。これにより、レンズ２の下側から出射されて対向車線側に偏る特性がある配光（投影像ＤＩ）は、図１０（Ｃ）中の左斜め上方向の実線矢印に示すように、走行車線側に矯正される。このために、図１０（Ｃ）に示すように、下側の中央部分２２Ｄから照射される投影像ＤＩは、斜めカットオフラインＣＬ１およびエルボー点Ｅの部分（小円形を参照）において、抜けていない。この結果、ロービーム配光パターンＬＰのカットオフラインＣＬ１、ＣＬ２、ＣＬ３のうちエルボー点Ｅを含む部分を鮮明とすることができる。
【００５１】
この実施形態にかかる車両用灯具１は、レンズ２の入射面２０Ｕ、２０Ｄを上下に２分割するものである。このために、レンズ２の出射面２１を上下に２分割するものと比較して、上側の入射面２０Ｕと下側の入射面２０Ｄとの間の分割境界の段差面２３Ｕが見え難い。これにより、レンズ２の見栄えが損なわれることがない。
【００５２】
この実施形態にかかる車両用灯具１は、下側の入射面２０Ｄが上側の入射面２０Ｕよりも半導体型光源３側に位置する。このために、上側の入射面２０Ｕと下側の入射面２０Ｄとの間の分割境界においては、上側に向いている段差面２３Ｕが形成されている。この結果、図８に示すように、半導体型光源３からの光Ｌ１が上側に向いている段差面２３Ｕ（および、段差面２３Ｕと入射面２０Ｄとの角の曲面を含む）に入射すると、その入射光Ｌ２が下向きなり、制御できない迷光となる虞がない。
【００５３】
（実施形態以外の例の説明）
この実施形態においては、車両用前照灯、ロービーム用ヘッドランプについて説明するものである。ところが、この発明においては、車両用前照灯、ロービーム用ヘッドランプ以外の車両用灯具たとえばフォグランプ、ハイビーム用ヘッドランプなどであっても良い。
【００５４】
また、この実施形態においては、入射面２０Ｕ、２０Ｄを上側の入射面２０Ｕと下側の入射面２０Ｄとに２分割するものである。ところが、この発明においては、出射面２１を上側の出射面と下側の出射面とに２分割しても良い。この場合においても、上側の出射面のうち少なくとも一部を下側の出射面のうち少なくとも一部に対して対向車線側に振り向ける。また、下側の出射面を上側の出射面よりも半導体型光源３と反対側（離れる側）に位置させる。
【００５５】
さらに、この実施形態においては、下側の入射面２０Ｄが上側の入射面２０Ｕよりも半導体型光源３側に位置するものである。ところが、この発明においては、上側の入射面２０Ｕの一部あるいは全部が下側の入射面２０Ｄよりも半導体型光源３側に位置するものであっても良い。すなわち、上側の入射面２０Ｕと下側の入射面２０Ｄとが互い違い（Ｘ字状）の面で形成しても良い。この場合においては、半導体型光源３からの光Ｌ１が下側に向いている段差面２３Ｄ（および、段差面２３Ｄと入射面２０Ｕとの角の曲面を含む）に入射して、その入射光Ｌ３が上向きになっても、制御できない迷光となる虞がないことが条件となる。
【００５６】
さらにまた、この実施形態においては、入射面２０Ｕ、２０Ｄ全面を上側の入射面２０Ｕと下側の入射面２０Ｄとに２分割するものである。ところが、この発明においては、出射面２１の一部を上側の出射面と下側の出射面とに２分割しても良い。この場合においては、少なくとも、中央部分２２を上下に２分割する必要がある。
【符号の説明】
【００５７】
１  車両用灯具
２  レンズ
２０  基準入射面
２０Ｄ  下側の入射面
２０Ｕ  上側の入射面
２１  出射面
２２  中央部分
２２Ｃ  中間の中央部分
２２Ｄ  下側の中央部分
２２Ｕ  上側の中央部分
２３Ｄ  下側に向いている段差面
２３Ｕ  上側に向いている段差面
３  半導体型光源
３０  発光チップ
３１  パッケージ
３２  基板
ＣＬ１  斜めカットオフライン
ＣＬ２  上水平カットオフライン
ＣＬ３  下水平カットオフライン
ＤＬＰ  下側のロービーム配光パターン
ＤＳＰ  下側の集光配光パターン
ＤＷＰ  下側の拡散配光パターン
Ｅ  エルボー点
Ｆ  基準焦点
ＨＬ−ＨＲ  スクリーンの左右の水平線
Ｌ１  光
Ｌ２、Ｌ３  入射光
ＬＰ  ロービーム配光パターン
Ｏ  中心
ＳＰ  集光配光パターン
ＵＬＰ  上側のロービーム配光パターン
ＵＳＰ  上側の集光配光パターン
ＵＷＰ  上側の拡散配光パターン
ＷＰ  拡散配光パターン
ＶＵ−ＶＤ  スクリーンの上下の垂直線
Ｘ  Ｘ軸
Ｙ  Ｙ軸
Ｚ  基準光軸（Ｚ軸）
【図１】
2015095296.tif 000003
【図２】
2015095296.tif 000004
【図３】
2015095296.tif 000005
【図４】
2015095296.tif 000006
【図５】
2015095296.tif 000007
【図６】
2015095296.tif 000008
【図７】
2015095296.tif 000009
【図８】
2015095296.tif 000010
【図９】
2015095296.tif 000011
【図１０】
2015095296.tif 000012
【図１１】
2015095296.tif 000013